(57)【要約】【課題】部品点数を極力減らすこと。【解決手段】錠ケースの支持部材内に組み込まれた突出係合部材の係合受部に係止部が係合するように錠ケース内に一つの仮施錠片を組み込み、この仮施錠片に対して固定軸に中央部を巻装し、かつ、前後の両端部を該仮施錠片にそれぞれ当接させた状態で復帰バネを一体的に添設し、扉の閉戸時、錠ケースの窓から内部に突出する押圧片が昇降動すると、該押圧片の動きに起因して仮施錠片がそのまま水平状態を保つながら上下動し、その係止部が突出係合部材の係合受部に係脱することを特徴とする錠前の仮施錠・解錠装置。【選択図】  図６
2004270132.tif 000002
【特許請求の範囲】
【請求項１】
錠ケース４の枠状支持部材１３内に進退動自在に組み込まれた突出係合部材２０の係合受部２２に係止部３０が係合するように錠ケース４内に固定軸２６及び垂直案内部３１を介して一つの仮施錠片２５を組み込み、この仮施錠片に対して前記固定軸２６に中央部４１を巻装し、かつ、前後の両端部４２，４３を該仮施錠片にそれぞれ当接させた状態で復帰バネ４０を一体的に添設し、扉１の閉戸時に於いて、錠ケース４の窓１２から内部に突出する押圧片２４が昇降動すると、該押圧片２４の動きに起因して前記仮施錠片２５がそのまま水平状態を保つながら上下動し、その係止部が前記突出係合部材２０の係合受部２２に係脱することを特徴とする錠前の仮施錠・解錠装置。
【請求項２】
請求項１に於いて、仮施錠片は、その中央部に固定軸２６が貫通する垂直案内長孔を有することを特徴とする錠前の仮施錠・解錠装置。
【請求項３】
請求項１に於いて、仮施錠片２５は、対向側壁２５ａの中央部にラッチ支持枠１３の垂直後壁１３ａの外壁面に摺接する第１摺接３２と、錠ケース４の後壁８の内壁面と摺接する第２摺接部３５とを有していることを特徴とする錠前の仮施錠・解錠装置。
【請求項４】
錠ケース４の枠状支持部材１３内に進退動自在に組み込まれた突出係合部材２０の係合受部２２に係止部３０が係合するように錠ケース４内に軸２６及び垂直案内部３１を介して一つの仮施錠片２５を組み込み、一方、下端部４２Ａが錠ケース４の下壁９の内壁面に固定され、一方、その上端部４３Ａが仮施錠片２５に圧接する仮施錠片用復帰バネ４０Ａを錠ケース４に内装し、扉１の閉戸時に於いて、錠ケース４の窓１２から内部に突出する押圧片２４が昇降動すると、該押圧片２４の動きに起因して前記仮施錠片２５が、そのまま水平状態を保つながら上下動し、その係止部が前記突出係合部材２０の係合受部２２に係脱することを特徴とする錠前の仮施錠・解錠装置。
【請求項５】
錠ケース４の枠状支持部材１３内に進退動自在に組み込まれた突出係合部材２０の係合受部２２に係止部３０が係合するように錠ケース４内に軸２６及び垂直案内部３１を介して一つの仮施錠片２５を組み込み、一方の磁石板４２Ｂが錠ケース４の下壁９の内壁面に固定され、この一方の磁石板４２Ｂの極性に対応して反発する他方の磁石板４３Ｂが仮施錠片２５の底壁２５ｂに固定された少なくとも一組の磁性体４０Ｂを錠ケース４内に設け、扉１の閉戸時に於いて、錠ケース４の窓１２から内部に突出する押圧片２４が昇降動すると、該押圧片２４の動きに起因して前記仮施錠片２５が、そのまま水平状態を保つながら上下動し、その係止部が前記突出係合部材２０の係合受部２２に係脱することを特徴とする錠前の仮施錠・解錠装置。
【請求項６】
請求項５に於いて、施錠片は錠ケースの下部に組み込まれ、かつ、左右の対向側壁２５ａ，２５ａの後端部寄りの上辺に横設された左右の受板部で操作部材側の内外の押圧片を選択的に受けることを特徴とする錠前の仮施錠・解錠装置。
【請求項７】
錠ケース４の枠状支持部材１３Ｃ内に進退動自在に組み込まれた突出係合部材２０の係合受部２２に係止部３０が係合するように錠ケース４内に固定軸２６Ｃを介して一つの仮施錠片２５Ｃを組み込み、この仮施錠片の前記係止部３０が前記係合受部２２に係合するように常時付勢する復帰バネ４０Ｃを該仮施錠片に設け、扉１の閉戸時に於いて、錠ケース４の窓１２から内部に突出する押圧片２４が昇降動すると、該押圧片２４の動きに起因して前記仮施錠片２５Ｃが前記固定軸２６Ｃを支点に回動し、その係止部３０が前記突出係合部材２０の係合受部２２に係脱することを特徴とする錠前の仮施錠・解錠装置。
【請求項８】
請求項７に於いて、仮施錠片２５Ｃは、少なくともＺ形回動係合片５０を備え、該Ｚ形回動係合片５０は、軸受機能を有する立ち上がり部分の上端部に連設する鉤状係止部３０と、立ち上がり部分の下端部に連設しかつ押圧片用の受板部３４Ｃとを有すること特徴とする錠前の仮施錠・解錠装置。
【発明の詳細な説明】
【０００１】
【発明の属する技術分野】
本発明は、錠前の仮施錠・解錠装置に関し、特にラッチ錠と称される錠前の仮施錠・解錠装置に適合する。
【０００２】
【従来の技術】
従来例としては、特開平１１−１４１２０７号公報に記載された実施例を挙げることができる。この実施例は、ラッチ錠を構成するラッチハブの改良に関するものであるが、本発明の実施例に対する従来技術も開示されている。
【０００３】
すなわち、ラッチ錠の錠箱内の下部に横長のロッキングピース（ラッチの仮施錠片）が内装され、該ロッキングピースの基端部は、錠箱の隅角部に横設軸架された横軸に軸支されている。そして、ロッキングピースの自由端部には、ラッチの内端部の係合部と係脱する係止部が突出形成されている。
【０００４】
上記構成に於いて、仮施錠時、ラッチは戸枠側のストライクに突出係合しているが、例えばプッシュ・プル形式のハンドルを操作することにより、錠箱内に突出している押圧片がフロント側に水平移動すると、ロッキングピースは、押圧片に押し下げられるため、前記横軸を支点に回動する。その結果、ロッキングピースの係止部はラッチの係合部から離れる。これによりラッチは仮施錠状態から解放され、一旦所定角度まで水平回転した後、扉の動きに対応して錠箱内へと後退動する。
【０００５】
【発明が解決しようとする課題】
本発明の第１の目的は、部品点数を極力減らし、特に戸枠の受け金具と係脱する突出係合部材に対する仮施錠用のロッキングピース（仮施錠片）を一つだけ用いて錠前の仮施錠及びその解錠を達成することができること。第２の目的は、突出係合部材（例えば反転ラッチ）に対する係脱をスムースかつ確実にすること。第３の目的は、組み合わせが簡単であること。第４の目的は、仮施錠片が直接操作部材側の内外の押圧片を選択的に受けることにより、錠前を構成する部品点数を減らし、これにより錠ケースの内部空間を有効的に活用することである。
【０００６】
【課題を解決するための手段】
本発明の錠前の仮施錠・解錠装置は、錠ケースの枠状支持部材１３内に進退動自在に組み込まれた突出係合部材２０の係合受部２２に係止部３０が係合するように錠ケース４内に固定軸２６及び垂直案内部３１を介して一つの仮施錠片２５を組み込み、この仮施錠片に対して前記固定軸２６に中央部４１を巻装し、かつ、前後の両端部４２，４３を該仮施錠片にそれぞれ当接させた状態で復帰バネ４０を一体的に添設し、扉１の閉戸時に於いて、錠ケース４の窓１２から内部に突出する押圧片２４が昇降動すると、該押圧片２４の動きに起因して前記仮施錠片２５がそのまま水平状態を保つながら上下動し、その係止部が前記突出係合部材２０の係合受部２２に係脱することを特徴とする（第１実施例）。
【０００７】
また、本発明の錠前の仮施錠・解錠装置は、錠ケース４の枠状支持部材１３内に進退動自在に組み込まれた突出係合部材２０の係合受部２２に係止部３０が係合するように錠ケース４内に軸２６及び垂直案内部３１を介して一つの仮施錠片２５を組み込み、一方、下端部４２Ａが錠ケース４の下壁９の内壁面に固定され、一方、その上端部４３Ａが仮施錠片２５に圧接する仮施錠片用復帰バネ４０Ａを錠ケース４に内装し、扉１の閉戸時に於いて、錠ケース４の窓１２から内部に突出する押圧片２４が昇降動すると、該押圧片２４の動きに起因して前記仮施錠片２５が、そのまま水平状態を保つながら上下動し、その係止部が前記突出係合部材２０の係合受部２２に係脱することを特徴とする（第２実施例）。
【０００８】
また、本発明の錠前の仮施錠・解錠装置は、錠ケース４の枠状支持部材１３内に進退動自在に組み込まれた突出係合部材２０の係合受部２２に係止部３０が係合するように錠ケース４内に軸２６及び垂直案内部３１を介して一つの仮施錠片２５を組み込み、一方の磁石板４２Ｂが錠ケース４の下壁９の内壁面に固定され、この一方の磁石板４２Ｂの極性に対応して反発する他方の磁石板４３Ｂが仮施錠片２５の底壁２５ｂに固定された少なくとも一組の磁性体４０Ｂを錠ケース４内に設け、扉１の閉戸時に於いて、錠ケース４の窓１２から内部に突出する押圧片２４が昇降動すると、該押圧片２４の動きに起因して前記仮施錠片２５が、そのまま水平状態を保つながら上下動し、その係止部が前記突出係合部材２０の係合受部２２に係脱することを特徴とする（第３実施例）。
【０００９】
さらに本発明の錠前の仮施錠・解錠装置は、錠ケース４の枠状支持部材１３Ｃ内に進退動自在に組み込まれた突出係合部材２０の係合受部２２に係止部３０が係合するように錠ケース４内に固定軸２６Ｃを介して一つの仮施錠片２５Ｃを組み込み、この仮施錠片の前記係止部３０が前記係合受部２２に係合するように常時付勢する復帰バネ４０Ｃを該仮施錠片に設け、扉１の閉戸時に於いて、錠ケース４の窓１２から内部に突出する押圧片２４が昇降動すると、該押圧片２４の動きに起因して前記仮施錠片２５Ｃが前記固定軸２６Ｃを支点に回動し、その係止部３０が前記突出係合部材２０の係合受部２２に係脱することを特徴とする（第４実施例）。
【００１０】
上記構成に於いて、仮施錠片２５Ｃは、少なくともＺ形回動係合片５０を備え、該Ｚ形回動係合片５０は、軸受機能を有する立ち上がり部分の上端部に連設する鉤状係止部３０と、立ち上がり部分の下端部に連設しかつ押圧片用の受板部３４Ｃとを有すること特徴とする。
【００１１】
【発明の実施の形態】
図１乃至図６により本発明の実施形態に基づく一実施例（第１実施例）を構成部材に区分けして説明する。
【００１２】
（１）発明の実施の環境
まず図１を参照にして発明の実施の環境について簡単に説明する。Ｘは錠前の一例としてのラッチ錠である（本発明の特定要件に関係のない部分は省略してある）。このラッチ錠Ｘは、玄関などの扉１に取付けられる。一方、Ｙは戸枠２に取付けられた受け金具で、この受け金具Ｙは錠ケースに進退動自在に組み込まれたラッチ用の係合孔３を有する。
【００１３】
（２）錠ケース
次に図２を参照にした扉のラッチ錠Ｘを構成する錠ケース（錠箱）を説明する。４は扉１の開放側端部の中央部に取付けられた錠ケースである。該錠ケース４もラッチ錠Ｘの一部を成す。５は錠ケース４の開口部側に固定されたフロントである。６はフロント５に対しては裏板或いは取り付け板であるが、ここではケース身の前壁とする。７はフロント５及び前壁６の下部寄りの部位に形成された突出係合部材としてのラッチ用出入り口である。８はケース身の後壁、９はケース身の下壁、１０はケース身の上壁、１１はケース身の幅広側壁である。なお、錠ケースの蓋は省略してある。
【００１４】
１２は図示しない操作部材（例えばプッシュ・プル形式のハンドル）の一部或いは操作部材と連係する押圧片が余裕を持って入り込む縦長窓である。この窓１２は錠ケース４の両方の幅広側壁（ケース身とケース蓋）１１，１１に対向して形成されている。１３は出入り口に臨むようにケース身の幅広側壁１１に固定された枠状支持部材（例えばラッチ支持枠）である。このラッチ支持枠１３の少なくとも下壁部には、切欠、孔、開口などの仮施錠片の係止部用受入れ部１４が形成されている。１５は幅広側壁１１，１１の下部の略中央部に形成された丸い形状の軸取り付孔で、この軸取り付孔１５に後述する横軸（固定軸）２６が設けられる。軸取り付孔１５はラッチ支持枠１３の下壁部よりも下方で、かつ、前述した押圧片用窓１２との間に形成されている。なお、錠ケースには、本施錠用の各部材の孔（例えばダルマ用嵌合孔、本施錠片用軸孔、ガイド孔など）が形成されているが、本発明の特定要件に関係がないので省略する。
【００１５】
（３）突出係合部材…反転ラッチ
突出係合部材２０は、ラッチ支持枠或いは枠状の支持部材１３内に突出自在に設けられている。突出係合部材２０としては、例えば当業者の間で称されているラッチ、デッドボルト、ラッチとデッドボルトの両方の機能を持つ反転ラッチなどを列挙することができる。本実施例では反転ラッチを採用している。なお、突出係合部材２０の具体的構成については、発明の特定要件ではないので割愛する。
【００１６】
しかして、２０ａは支持部材１３内のラッチ付勢ばね２１のバネ力によってフロント５から突出する外端部、一方、２０ｂは支持部材１３内に案内されて進退動する内端部である。２２は該内端部２０ｂの上下にそれぞれ形成された一対の仮施錠片用の係合受部である。
【００１７】
（４）仮施錠片
ここで「仮施錠片」とは、操作部材側の内外押圧片２４，２４の少なくとも一方が昇降動すると、これに起因して突出係合部材２０を直接係止して仮施錠し、或いは仮施錠の状態を解除する部材を意味する。本実施例の仮施錠片２５は、錠ケース４に横設軸架された固定軸２６を基準に水平状態で上下方向に案内され、又は固定軸を支点に回動して突出係合部材２０の係合受部２２と係脱する作動片である。そして、仮施錠片は復帰バネのバネ力（第１実施例、第２実施例、第４実施例）、又は磁性体の反発力（第３実施例）を利用して仮施錠位置へと自動的に復帰する。
【００１８】
（５）仮施錠片の具体的構成
仮施錠片２５は、図４及び図５に示す通り、一枚の板を適宜に折り曲げ、全体として「小船形状」のイメージが彷彿されるように形成されている。すなわち、３０は船首部分に相当する係止部で、この係止部３０は突出係合部材２０の係合受部２２と係脱する。係止部３０は左右勝手を考慮し、所要間隙を有して左右に１対突出形成されている。３１，３１は左右の対向側壁２５ａ，２５ａの中央部（中央部寄りの部位も含む）にそれぞれ形成された左右１対の垂直案内長孔である。
【００１９】
仮施錠片２５は、前述した固定軸２６及びこれらの垂直案内部（垂直案内長孔、垂直案内切欠など）３１，３１を介して錠ケース４内に上下動自在に装備される。垂直案内部３１は、本実施例では、仮施錠片２５の中央部（中央部寄りの部位も含む）に形成された左右１対の垂直案内長孔である。
【００２０】
３２，３２は左右の対向側壁２５ａ，２５ａの中央部、本実施例では前記垂直案内長孔の略真上に突出形成された左右１対の半円弧状第１摺接部で、これらの第１摺接３２，３２は、ラッチ支持枠１３の垂直後壁１３ａの外壁面に摺接する。３３は船の底に相当する底壁２５ｂに形成されたバネ用開口である。このバネ用開口３３は、底壁２５ｂの後端部寄りの部位に形成され、図１で示すように復帰バネ４０の他端部（後端部）４３が通り抜ける。
【００２１】
３４は解錠用操作部材の内外押圧片２４，２４の位置関係を考慮して左右の対向側壁２５ａ，２５ａの後端部寄りの上辺に横設された左右の受板部である。これらの受板部３４，３４の上面に内外の押圧片２４，２４の下面がそれぞれ選択的に当接する。３５は船の船尾に相当する垂直壁状の第２摺接部で、この第２摺接部３５の外壁面は錠ケース４の後壁８の内壁面と摺接し、その上端部は内側に多少弧状に形成されている。
【００２２】
（６）仮施錠片用の復帰バネ
図１及び図４で示すように、仮施錠片用復帰バネ４０は、そのリング状中央部４１が固定軸２６にその内周面の一部が当接状態に巻装されている。そして、その一端部４２は仮施錠片２５の先端部側傾斜壁部３６の開口縁３６ａに当接し、一方、他端部４３は前述したバネ用開口３３を通り抜けて底壁２５ｂに当接し、いわば仮施錠片２５内に一体的に添設されている（図５）。
【００２３】
すなわち、本実施例の仮施錠片用の少なくとも１つの復帰バネ４０は、その前後の両端部４２，４３を介して仮施錠片２５に添設され、かつ、固定軸２６に巻装されたリング状中央部４１を基準にそのバネ力に抗して内側に変位可能である。それ故に、仮施錠片用復帰バネ４０は、仮施錠片２５が一つの押圧片２４に押されてそのまま水平状態で下降すると、リング状中央部４１を基準に両端部が内側に変位する弾性変形機能（図６の下方）と、逆に一つの押圧片２４が上方に移行するのに対応して外拡変位し、仮施錠片２５を持ち上げる弾性復帰機能（図６の上方）とを有している。
【００２４】
（７）作用…仮施錠
図６を参照にしてラッチの仮施錠について説明する。扉を閉めた時、ラッチ２０はラッチ付勢バネ２１のバネ力によりフロント５から突出し、受け金具Ｙの係合孔３に係合する。この時、図示しない操作部材（例えばプッシュ・プル形式のハンドル）に連係する押圧片２４，２４が、図６の上方に示すように窓１２内の上昇位置へと移行してきた場合には、仮施錠片２５は復帰バネ４０の弾性復帰機能により、矢印で示すように上方に持ち上げられる。この場合に於いて、仮施錠片２５は、その第１摺接部３２及び第２摺接部３５の両方により接線方向へと案内されて略真直ぐに上昇し、ラッチ支持枠１３の下壁に当接した所でその係止部３０がラッチ２０の係合受部２２に完全に係合する。そこで、本実施例のラッチ２０は、一旦水平回転してから後退する反転ラッチであることから、ラッチ２０の係合受部２２に仮施錠片２５の係止部３０の一つが係合すると、仮施錠の状態となる。
【００２５】
（８）作用…仮施錠の解錠
図６の下方に示すように押圧片２４，２４の一つ（例えば左側）が、解錠用操作部材の操作によって窓１２内の下降位置へと移行した場合には、仮施錠片２５は復帰バネ４０の弾性変形機能により、矢印で示すように下方に押し下げられる。この場合に於いて、仮施錠片２５は、その第１摺接部３２及び第２摺接部３５の両方により案内されて真直ぐに下降し、その係止部３０がラッチ２０の係合受部２２から離れる。前述したように本実施例のラッチ２０は、一旦水平回転してから後退する反転ラッチであることから、ラッチ２０の係合受部２２から仮施錠片２５の係止部３０の一つが離れると、仮施錠状態から解錠状態となる。
【００２６】
【実施例】
この欄では、本実施の形態（第１実施例）と異なる実施例について説明する。なお、これらの実施例の説明にあたって、第１実施例と同一又は同様（機能が同一）の部分には、同一又は同様の符号を付し、重複する説明を省略する。
【００２７】
図７に示す第２実施例の錠前Ｘ１に於いて、第１実施例と主に異なる点は、復帰バネ４０Ａの形状及びその設けた位置である。すなわち、第１実施例の復帰バネ４０は、仮施錠片２５に対して、その垂直案内長孔３１を貫通する固定軸２６にリング状中央部４１を巻装し、かつ、前後の両端部４２，４３を仮施錠片の前・後部にそれぞれ当接させた状態で一体的に添設しているのに対し、第２実施例の復帰バネ４０Ａは、板バネを採用し、その下端部４２Ａは錠ケース４の下壁９の内壁面に固定され、一方、その上端部４３Ａは、仮施錠片２５の底壁２５ｂに圧接している。
【００２８】
しかして、復帰バネ４０Ａは、第１実施例と同様に、（１）一つの押圧片２４の下降に起因して仮施錠片２５が水平状態を保つながら、かつ、錠ケース４等に案内されながら下降すると、その弾発力に抗して上端部４３Ａ側が内側に変位する弾性変形機能（図７の下方）と、逆に一つの押圧片２４が上方に移行するのに対応して外拡変位し、仮施錠片２５を持ち上げる弾性復帰機能（図７の上方）とを有している。したがって、この第２実施例の場合にも、一つの横長状の仮施錠片２５と、一つの復帰バネ４０Ａにより、第１実施例と同一の作用・効果を得ることができる。
【００２９】
図８に示す第３実施例の錠前Ｘ２に於いて、第１実施例と主に異なる点は、復帰バネ４０に代えて一組の磁性体を採用したことである。すなわち、第１実施例の復帰バネ４０は、前述したように仮施錠片２５に対して一体的に添設されているのに対し、第３実施例の復帰バネ４０代用の板状磁性体４０Ｂは、一方の磁石板４２Ｂが錠ケース４の下壁９の内壁面に固定され、一方の磁石板４２Ｂの極性に対応して反発する他方の磁石板４３Ｂが仮施錠片２５の底壁２５ｂに固定されている。
【００３０】
しかして、板状磁性体４０Ｂは、（１）一つの押圧片２４の下降に起因して仮施錠片２５が水平状態を保つながら、かつ、錠ケース４等に案内されながら下降すると、互いに反発力を強めるものの、許容範囲まで仮施錠片２５の下降を許し（図８の下方）、（２）逆に一つの押圧片２４が上方に移行すると、前述したように磁石板４２Ｂ，４３Ｂ同士がその極性に対応して反発し合うので、仮施錠片２５を浮上させる（図８の上方）。したがって、この第３実施例の場合にも、一つの横長状の仮施錠片２５と、少なくとも一組の磁性体４０Ｂにより、第１実施例と同一の作用・効果を得ることができる。
【００３１】
なお、第２実施例及び第３実施例に於いて、固定軸２６は、仮施錠片２５の垂直案内部の部分に形成された左右１対の突起軸（可動軸）であっても良い。このように固定軸を可動軸へと設計変更した場合には、錠箱の幅広側壁１１，１１に垂直案内部を形成すること自明（均等）事項である。
【００３２】
図９乃至図１３に示す第４実施例の錠前Ｘ３に於いて、第１実施例と主に異なる点は、仮施錠片２５Ｃが固定軸２６Ｃを支点に回転すること、仮施錠片２５Ｃが蛇の攻撃態勢形状（例えばＺ形、Ｓ形など）に形成されていること、復帰バネ４０Ｃの一端部４３Ｃが枠状支持部材１３Ｃに当接した状態で仮施錠片２５Ｃを常時係合方向に付勢していることなどである。
【００３３】
すなわち、第４実施例の錠前Ｘ３の仮施錠・解錠装置は、錠ケース４の枠状支持部材１３Ｃ内に進退動自在に組み込まれた突出係合部材２０の係合受部２２に係止部３０が係合するように錠ケース４内に固定軸２６Ｃを介して一つの仮施錠片２５Ｃを組み込み、この仮施錠片の前記係止部３０が前記係合受部２２に係合するように常時付勢する少なくとも一つの復帰バネ４０Ｃを該仮施錠片に設け、扉１の閉戸時に於いて、錠ケース４の窓１２から内部に突出する押圧片２４が昇降動すると、該押圧片２４の動きに起因して前記仮施錠片２５Ｃが前記固定軸２６Ｃを支点に回動し、その係止部３０が前記突出係合部材２０の係合受部２２に係脱することを特徴とする。
【００３４】
図１０を基準に仮施錠片２５Ｃの構成を説明する。仮施錠片２５Ｃは、一枚の金属片をプレス加工により適宜所要箇所を折り曲げることにより形成されている。すなわち、５０は手前側のＺ形回動係合片で、このＺ形回動係合片５０は、横方向の後端部５０ａと、この後端部５０ａから上方に延びる立ち上がり部分５０ｂと、この立ち上がり部分５０ｂの上端部先端縁から交差方向の折り曲げ部分５０ｃを介して連設する鉤状係合部３０とを有している。
【００３５】
一方、５１は向こう側の山形回動係合片で、この山形回動係合片５１は、前記立ち上がり部分５０ｂの上端部と対向する縦方向の軸受部分５１ａと、この軸受部分５１ａに連設しかつ前記係合部３０と対向する横方向の鉤状係合部３０とを有している。
【００３６】
しかして、前記Ｚ形回動係合片５０の後端部５０ａの上辺には、押圧片２４用の受板部３４Ｃが水平状態に設けられ、また、その立ち上がり部分５０ｂの下部寄りの部位には、バネ端受部５３が設けられ、また、両回動係合片５０，５１の係合部３０，３０の上辺には、連結板部５４が設けられ、さらに、両回動係合片５０，５１の立ち上がり部分５０ｂと軸受部分５１ａには、固定軸２６Ｃ用軸孔５５，５５が形成されている。
【００３７】
したがって、仮施錠片２５Ｃは、少なくともＺ形回動係合片５０を備え、該Ｚ形回動係合片５０は、軸受機能を有する立ち上がり部分５０ｂの上端部に連設する鉤状係止部３０と、立ち上がり部分５０ｂの下端部に連設しかつ押圧片用の受板部３４Ｃとを有する。
【００３８】
また、前述した復帰バネ４０Ｃは、仮施錠片２５Ｃに対して前記固定軸２６Ｃにその中央部４１Ｃを巻装すると共に、一端部４２Ｃを枠状支持部材１３Ｃの垂直後壁１３ａの外壁面に、一方、他端部４３Ｃを仮施錠片２５Ｃのバネ端受部５３にそれぞれ当接させた状態で設けている。なお、前記枠状支持部材１３の上下の壁部には、切欠、孔、開口などの仮施錠片の係止部用受入れ部１４，１４がそれぞれ形成されている。
【００３９】
したがって、この第４実施例の場合にも、図１３に示すように、押圧片２４の一方を押し下げると、仮施錠片２５Ｃは復帰バネ４０Ｃのバネ力に抗して係合解除の方向へ回動することから、一つの横長状の仮施錠片２５Ｃと、一つの復帰バネ４０Ｃにより、第１実施例と同一の作用・効果を得ることができる。
【００４０】
【発明の効果】
以上の説明から明らかなように、本発明にあっては、次に列挙するような効果がある。
（１）部品点数を極力減らし、特に戸枠の受け金具と係脱する突出係合部材に対する仮施錠片を一つだけ用いて錠前の仮施錠及びその解錠を達成することができる。
（２）仮施錠片がそのまま水平状態を保つながら上下動する、又は固定軸を支点に回動するので、突出係合部材（例えば反転ラッチ）に対する係脱を確実に行うことができる。
（３）少なくとも一つの復帰バネを仮施錠片に添設し、又は少なくとも一組の磁性体を用いているので、組み合わせが簡単である。
（４）施錠片を錠箱の下部に組み込み、内外の押圧片を選択的に受ける実施例の場合には、錠箱の内部空間を有効的に活用することができる。
【図面の簡単な説明】
【図１】本発明の第１実施例を示す蓋板等を省略した内部構造を示す概略説明図。
【図２】蓋板等を省略した錠箱の概略説明図。
【図３】主要部材の組み合わせ状態を示す横概略断面説明図。
【図４】主たる部材（仮施錠片、固定軸、復帰バネ）を示す分解斜視図。
【図５】仮施錠片と復帰バネとの位置関係を示す概略断面説明図。
【図６】仮施錠状態と解錠状態との関係を示す説明図。
【図７】本発明の第２実施例を示す図６と同様の図。
【図８】本発明の第３実施例を示す図６と同様の図。
【図９】本発明の第４実施例を示す蓋板等を省略した内部構造を示す概略説明図。
【図１０】主たる部材（仮施錠片、固定軸、復帰バネ）を示す分解斜視図。
【図１１】仮施錠片の平面図。
【図１２】仮施錠片の右側面図。
【図１３】仮施錠片の作用を示す概略説明図。
【符号の説明】
Ｘ，Ｘ１，Ｘ２，Ｘ３…錠前、Ｙ…受け金具、１…扉、２…戸枠、３…係合孔、４…錠ケース４…フロント、１２…窓、１３，１３Ａ，１３Ｃ…支持部材、２０…突出係合部材、２１…ラッチ付勢ばね、２２…係合受部、２４…内外の押圧片、２５，２５Ｃ…仮施錠片、２６，２６Ｃ…固定軸、３０…係止部、３１…垂直案内部、３２…第１摺接部、３４，３４Ｃ…受板部、３５…第２摺接部、４０，４０Ａ，４０Ｃ…復帰バネ、４０Ｂ…復帰バネ代用磁性体、４１，４１Ｃ…復帰バネのリング状中央部、５０，５１…回動係合片、５３…バネ端受部。
【図１】
2004270132.tif 000003
【図２】
2004270132.tif 000004
【図３】
2004270132.tif 000005
【図４】
2004270132.tif 000006
【図５】
2004270132.tif 000007
【図６】
2004270132.tif 000008
【図７】
2004270132.tif 000009
【図８】
2004270132.tif 000010
【図９】
2004270132.tif 000011
【図１０】
2004270132.tif 000012
【図１１】
2004270132.tif 000013
【図１２】
2004270132.tif 000014
【図１３】
2004270132.tif 000015